(57)【要約】【課題】テレビジョン信号受信装置において、チャンネル構成が変更されるまでの期間をユーザに知らせるようにする。【解決手段】テレビジョン信号受信装置は、テレビジョン信号から抽出したチャンネル構成変更情報に基いて、チャンネル構成変更日時と現在日時との関係における現在の状況を判断し、チャンネル構成が変更されるまで１週間未満かつ４８時間以上であると判断されるときに（＃６でＹＥＳ）、赤色ＬＥＤを常時点灯し（＃７）、チャンネル構成が変更されるまで４８時間未満かつ１時間以上であると判断されるときに（＃８でＹＥＳ）、赤色ＬＥＤを間欠点灯し（＃９）、チャンネルが変更されるまで１時間未満であってチャンネル構成の変更作業が開始される前であると判断されるときに（＃１０でＹＥＳ）、緑色ＬＥＤを常時点灯し（＃１１）、チャンネル構成の変更作業中であると判断されるときに（＃１２でＹＥＳ）、緑色ＬＥＤを間欠点灯する（＃１３）。【選択図】図２
2012244308.tif 000002
【特許請求の範囲】
【請求項１】
テレビジョン放送局から放送されるテレビジョン信号を受信するテレビジョン信号受信装置において、
受信したテレビジョン信号から、チャンネル構成が変更される日時に関する情報であるチャンネル構成変更情報を抽出する変更情報抽出手段と、
前記変更情報抽出手段により抽出されたチャンネル構成変更情報に基いて、チャンネル構成の変更についての情報を報知する報知手段とを備え、
前記報知手段は、チャンネル構成の変更についての情報として、チャンネル構成が変更されるまでの期間を報知する、ことを特徴とするテレビジョン信号受信装置。
【請求項２】
前記報知手段は、チャンネル構成の変更についての情報として、チャンネル構成が変更されるまでの期間を報知することに加え、チャンネル構成が変更されたことを報知する、ことを特徴とする請求項１に記載のテレビジョン信号受信装置。
【請求項３】
本装置の動作を指示するためにユーザにより操作される操作手段と、
受信可能なチャンネルを記述したチャンネルマップを記憶するメモリと、
ユーザにより前記操作手段によって、チャンネルスキャンを行うための操作がなされたことを受けて、受信可能なチャンネルを検出して前記メモリに記憶されているチャンネルマップに登録するチャンネルスキャンを行うチャンネルスキャン手段とをさらに備え、
前記報知手段は、チャンネル構成が変更されたことを報知しているときに、前記チャンネルスキャン手段により前記チャンネルスキャンが行われると、チャンネル構成が変更されたことの報知を終了する、ことを特徴とする請求項２に記載のテレビジョン信号受信装置。
【請求項４】
前記報知手段は、ＬＥＤを有し、チャンネル構成が変更されるまでの期間に応じた態様で前記ＬＥＤを点灯することにより、チャンネル構成が変更されるまでの期間を報知する、ことを特徴とする請求項１に記載のテレビジョン信号受信装置。
【請求項５】
前記チャンネル構成変更情報は、チャンネル構成が変更される日時に関する情報として、チャンネル構成の変更作業が開始される日時である変更作業開始日時を示す変更作業開始日時情報、及びチャンネル構成の変更作業に要する時間である変更作業時間を示す変更作業時間情報を含み、
前記報知手段は、
前記ＬＥＤとして、点灯されることにより赤色の光を発光する赤色ＬＥＤと、点灯されることにより緑色の光を発光する緑色ＬＥＤとを有し、
前記変更作業開始日時情報、及び前記変更作業時間情報に基いて、チャンネル構成の変更作業が完了したときをチャンネル構成が変更されたときとして、チャンネル構成が変更される日時と現在日時との関係における現在の状況を判断して、
チャンネル構成が変更されるまで１週間未満かつ４８時間以上であると判断されるときに、前記赤色ＬＥＤを常時点灯し、チャンネル構成が変更されるまで４８時間未満かつ１時間以上であると判断されるときに、前記赤色ＬＥＤを間欠点灯し、チャンネルが変更されるまで１時間未満であってチャンネル構成の変更作業が開始される前であると判断されるときに、前記緑色ＬＥＤを常時点灯し、チャンネル構成の変更作業中であると判断されるときに、前記緑色ＬＥＤを間欠点灯することにより、チャンネル構成が変更されるまでの期間を報知する、ことを特徴とする請求項４に記載のテレビジョン信号受信装置。
【請求項６】
前記報知手段は、ＬＥＤを有し、チャンネル構成が変更されるまでの期間に応じた態様で前記ＬＥＤを点灯することにより、チャンネル構成が変更されるまでの期間を報知すると共に、さらに異なる態様で前記ＬＥＤを点灯することにより、チャンネル構成が変更されたことを報知する、ことを特徴とする請求項２に記載のテレビジョン信号受信装置。
【請求項７】
前記チャンネル構成変更情報は、チャンネル構成が変更される日時に関する情報として、チャンネル構成の変更作業が開始される日時である変更作業開始日時を示す変更作業開始日時情報、及びチャンネル構成の変更作業に要する時間である変更作業時間を示す変更作業時間情報を含み、
前記報知手段は、
前記ＬＥＤとして、点灯されることにより赤色の光を発光する赤色ＬＥＤと、点灯されることにより緑色の光を発光する緑色ＬＥＤとを有し、
前記変更作業開始日時情報、及び前記変更作業時間情報に基いて、チャンネル構成の変更作業が完了したときをチャンネル構成が変更されたときとして、チャンネル構成が変更される日時と現在日時との関係における現在の状況を判断して、
チャンネル構成が変更されるまで１週間未満かつ４８時間以上であると判断されるときに、前記赤色ＬＥＤを常時点灯し、チャンネル構成が変更されるまで４８時間未満かつ１時間以上であると判断されるときに、前記赤色ＬＥＤを間欠点灯し、チャンネルが変更されるまで１時間未満であってチャンネル構成の変更作業が開始される前であると判断されるときに、前記緑色ＬＥＤを常時点灯し、チャンネル構成の変更作業中であると判断されるときに、前記緑色ＬＥＤを間欠点灯することにより、チャンネル構成が変更されるまでの期間を報知し、
チャンネル構成が変更されてから１ヶ月未満であると判断されるときに、前記赤色ＬＥＤと前記緑色ＬＥＤを間欠点灯することにより、チャンネル構成が変更されたことを報知する、ことを特徴とする請求項６に記載のテレビジョン信号受信装置。
【請求項８】
本装置の動作を指示するためにユーザにより操作される操作手段と、
受信可能なチャンネルを記述したチャンネルマップを記憶するメモリと、
ユーザにより前記操作手段によって、チャンネルスキャンを行うための操作がなされたことを受けて、受信可能なチャンネルを検出して前記メモリに記憶されているチャンネルマップに登録するチャンネルスキャンを行うチャンネルスキャン手段とをさらに備え、
前記報知手段は、チャンネル構成が変更されたことを報知しているときに、前記チャンネルスキャン手段により前記チャンネルスキャンが行われると、前記赤色ＬＥＤと前記緑色ＬＥＤを間欠点灯することを停止して、前記赤色ＬＥＤと前記緑色ＬＥＤを消灯することにより、チャンネル構成が変更されたことの報知を終了する、ことを特徴とする請求項７に記載のテレビジョン信号受信装置。
【発明の詳細な説明】
【技術分野】
【０００１】
本発明は、テレビジョン放送局から放送されるテレビジョン信号を受信するテレビジョン信号受信装置に関するものである。
【背景技術】
【０００２】
従来から、英国では、地上デジタル放送によってデジタル形式のテレビジョン信号が放送されている。英国の地上デジタル放送では、放送局側がチャンネル構成を変更する際、英国の地上デジタル放送の規格（Ｄ−Ｂｏｏｋ）に従って、チャンネル構成が変更される日時に関する情報であるチャンネル構成変更情報（ｎｅｔｗｏｒｋ＿ｃｈａｎｇｅ＿ｎｏｔｉｆｙ＿ｄｅｓｃｒｉｐｔｏｒ）をテレビジョン信号に含ませて放送するようになっている。
【０００３】
一方、テレビジョン信号に含まれているチャンネル構成変更情報に、変更が行われるネットワークのＩＤ番号や変更時間等の情報が含まれている場合に、ネットワークの変更を報知するようにしたテレビジョン信号受信装置が知られている（例えば特許文献１参照）。また、チャンネル構成が変化したか否かを検出し、チャンネル構成が変化したときに、その旨を報知するようにしたテレビジョン信号受信装置が知られている（例えば特許文献２及び特許文献３参照）。
【先行技術文献】
【特許文献】
【０００４】
【特許文献１】特開２０１０−２８３４３１号公報
【特許文献２】特開２００２−３５４３５３号公報
【特許文献３】特開２００８−２８８６４６号公報
【発明の概要】
【発明が解決しようとする課題】
【０００５】
ところで、チャンネル構成が変更された場合、テレビジョン信号受信装置では、チャンネル構成の変更に対応するために、チャンネルスキャン（受信可能なチャンネルを検出してチャンネルマップに登録する動作）を行わなければならない。このチャンネルスキャンは、チャンネル構成が変更される前に行ったのでは意味がなく、チャンネル構成が変更された後に、行わなければならない。
【０００６】
また、チャンネル構成が変更される前にテレビジョン信号受信装置で録画予約を設定していた場合には、チャンネル構成が変更されて、録画予約していた番組のチャンネルが変更されたり、チャンネル自体のサービスが打ち切りになったりすると、録画予約していた番組の録画に失敗したり、録画予約していない番組が録画されることになる。従って、チャンネル構成が変更される前にテレビジョン信号受信装置で録画予約を設定していた場合には、チャンネル構成の変更に対応するために、録画予約の再設定を行わなければならない。この録画予約の再設定は、チャンネル構成が変更される前に行ったのでは意味がなく、チャンネル構成が変更された後であって、録画予約していた番組が放送される前に、行わなければならない。
【０００７】
しかしながら、従来のテレビジョン信号受信装置では、チャンネル構成が変更される前に、チャンネル構成が変更されるまでの期間をユーザに知らせるようになっていない。このため、ユーザは、チャンネルスキャンや録画予約の再設定をどの時期に行えばよいのか判断できずに、チャンネルスキャンや録画予約の再設定を適切な時期（チャンネルスキャンについては、チャンネル構成が変更された後のできるだけ早い時期、録画予約の再設定については、チャンネル構成が変更された後であって、録画予約していた番組が放送される前の時期）に行うことができず、不便であった。なお、上述した特許文献１乃至特許文献３に開示の内容を適用したとしても、上記の問題を解決することはできない。
【０００８】
本発明は、上記課題を解決するためになされたものであり、チャンネル構成が変更されるまでの期間をユーザに知らせることができるテレビジョン信号受信装置を提供することを目的とする。
【課題を解決するための手段】
【０００９】
上記目的を達成するために請求項１の発明は、テレビジョン放送局から放送されるテレビジョン信号を受信するテレビジョン信号受信装置において、受信したテレビジョン信号から、チャンネル構成が変更される日時に関する情報であるチャンネル構成変更情報を抽出する変更情報抽出手段と、変更情報抽出手段により抽出されたチャンネル構成変更情報に基いて、チャンネル構成の変更についての情報を報知する報知手段とを備え、報知手段は、チャンネル構成の変更についての情報として、チャンネル構成が変更されるまでの期間を報知するものである。
【００１０】
請求項２の発明は、請求項１に記載のテレビジョン信号受信装置において、報知手段は、チャンネル構成の変更についての情報として、チャンネル構成が変更されるまでの期間を報知することに加え、チャンネル構成が変更されたことを報知するものである。
【００１１】
請求項３の発明は、請求項２に記載のテレビジョン信号受信装置において、本装置の動作を指示するためにユーザにより操作される操作手段と、受信可能なチャンネルを記述したチャンネルマップを記憶するメモリと、ユーザにより操作手段によって、チャンネルスキャンを行うための操作がなされたことを受けて、受信可能なチャンネルを検出してメモリに記憶されているチャンネルマップに登録するチャンネルスキャンを行うチャンネルスキャン手段とをさらに備え、報知手段は、チャンネル構成が変更されたことを報知しているときに、チャンネルスキャン手段によりチャンネルスキャンが行われると、チャンネル構成が変更されたことの報知を終了するものである。
【００１２】
請求項４の発明は、請求項１に記載のテレビジョン信号受信装置において、報知手段は、ＬＥＤを有し、チャンネル構成が変更されるまでの期間に応じた態様でＬＥＤを点灯することにより、チャンネル構成が変更されるまでの期間を報知するものである。
【００１３】
請求項５の発明は、請求項４に記載のテレビジョン信号受信装置において、チャンネル構成変更情報は、チャンネル構成が変更される日時に関する情報として、チャンネル構成の変更作業が開始される日時である変更作業開始日時を示す変更作業開始日時情報、及びチャンネル構成の変更作業に要する時間である変更作業時間を示す変更作業時間情報を含み、報知手段は、ＬＥＤとして、点灯されることにより赤色の光を発光する赤色ＬＥＤと、点灯されることにより緑色の光を発光する緑色ＬＥＤとを有し、変更作業開始日時情報、及び変更作業時間情報に基いて、チャンネル構成の変更作業が完了したときをチャンネル構成が変更されたときとして、チャンネル構成が変更される日時と現在日時との関係における現在の状況を判断して、チャンネル構成が変更されるまで１週間未満かつ４８時間以上であると判断されるときに、赤色ＬＥＤを常時点灯し、チャンネル構成が変更されるまで４８時間未満かつ１時間以上であると判断されるときに、赤色ＬＥＤを間欠点灯し、チャンネルが変更されるまで１時間未満であってチャンネル構成の変更作業が開始される前であると判断されるときに、緑色ＬＥＤを常時点灯し、チャンネル構成の変更作業中であると判断されるときに、緑色ＬＥＤを間欠点灯することにより、チャンネル構成が変更されるまでの期間を報知するものである。
【００１４】
請求項６の発明は、請求項２に記載のテレビジョン信号受信装置において、報知手段は、ＬＥＤを有し、チャンネル構成が変更されるまでの期間に応じた態様でＬＥＤを点灯することにより、チャンネル構成が変更されるまでの期間を報知すると共に、さらに異なる態様でＬＥＤを点灯することにより、チャンネル構成が変更されたことを報知するものである。
【００１５】
請求項７の発明は、請求項６に記載のテレビジョン信号受信装置において、チャンネル構成変更情報は、チャンネル構成が変更される日時に関する情報として、チャンネル構成の変更作業が開始される日時である変更作業開始日時を示す変更作業開始日時情報、及びチャンネル構成の変更作業に要する時間である変更作業時間を示す変更作業時間情報を含み、報知手段は、ＬＥＤとして、点灯されることにより赤色の光を発光する赤色ＬＥＤと、点灯されることにより緑色の光を発光する緑色ＬＥＤとを有し、変更作業開始日時情報、及び変更作業時間情報に基いて、チャンネル構成の変更作業が完了したときをチャンネル構成が変更されたときとして、チャンネル構成が変更される日時と現在日時との関係における現在の状況を判断して、チャンネル構成が変更されるまで１週間未満かつ４８時間以上であると判断されるときに、赤色ＬＥＤを常時点灯し、チャンネル構成が変更されるまで４８時間未満かつ１時間以上であると判断されるときに、赤色ＬＥＤを間欠点灯し、チャンネルが変更されるまで１時間未満であってチャンネル構成の変更作業が開始される前であると判断されるときに、緑色ＬＥＤを常時点灯し、チャンネル構成の変更作業中であると判断されるときに、緑色ＬＥＤを間欠点灯することにより、チャンネル構成が変更されるまでの期間を報知し、チャンネル構成が変更されてから１ヶ月未満であると判断されるときに、赤色ＬＥＤと緑色ＬＥＤを間欠点灯することにより、チャンネル構成が変更されたことを報知するものである。
【００１６】
請求項８の発明は、請求項７に記載のテレビジョン信号受信装置において、本装置の動作を指示するためにユーザにより操作される操作手段と、受信可能なチャンネルを記述したチャンネルマップを記憶するメモリと、ユーザにより操作手段によって、チャンネルスキャンを行うための操作がなされたことを受けて、受信可能なチャンネルを検出してメモリに記憶されているチャンネルマップに登録するチャンネルスキャンを行うチャンネルスキャン手段とをさらに備え、報知手段は、チャンネル構成が変更されたことを報知しているときに、チャンネルスキャン手段によりチャンネルスキャンが行われると、赤色ＬＥＤと緑色ＬＥＤを間欠点灯することを停止して、赤色ＬＥＤと緑色ＬＥＤを消灯することにより、チャンネル構成が変更されたことの報知を終了するものである。
【発明の効果】
【００１７】
請求項１の発明によれば、チャンネル構成が変更される場合、チャンネル構成が変更されるまでの期間が報知手段によって報知される。従って、チャンネル構成が変更される場合、チャンネル構成が変更される前に、チャンネル構成が変更されるまでの期間をユーザに知らせることができる。これにより、ユーザは、チャンネル構成の変更に対応するためのテレビジョン信号受信装置に対する処置（例えばチャンネルスキャンや録画予約の再設定等）をどの時期に行えばよいのか適切に判断することができ、チャンネル構成の変更に対応するためのテレビジョン信号受信装置に対する処置を適切な時期に行うことができ、便利である。
【００１８】
請求項２の発明によれば、チャンネル構成が変更されると、チャンネル構成が変更されたことが報知手段によって報知される。従って、チャンネル構成が変更されると、チャンネル構成が変更されたことをユーザに知らせることができる。これにより、ユーザは、チャンネル構成の変更に対応するためのテレビジョン信号受信装置に対する処置をどの時期に行えばよいのかより適切に判断することができ、チャンネル構成の変更に対応するためのテレビジョン信号受信装置に対する処置をより適切な時期に行うことができる。
【００１９】
請求項３の発明によれば、チャンネル構成が変更された後にチャンネルスキャンが行われると、報知手段によるチャンネル構成が変更されたことの報知が終了される。これにより、ユーザは、チャンネル構成が変更されたことの報知が終了していることを確認して、チャンネル構成が変更された後にチャンネルスキャンを行ったと判断できる。
【００２０】
請求項４の発明によれば、チャンネル構成が変更されるまでの期間を報知する構成を、簡単な構成によって実現できる。
【００２１】
請求項５の発明によれば、チャンネル構成が変更されるまでの期間を具体的にユーザに知らせることができる。
【００２２】
請求項６の発明によれば、チャンネル構成が変更されるまでの期間及びチャンネル構成が変更されたことを報知する構成を、簡単な構成によって実現できる。
【００２３】
請求項７の発明によれば、チャンネル構成が変更されるまでの期間を具体的にユーザに知らせることができる。
【００２４】
請求項８の発明によれば、チャンネル構成が変更された後にチャンネルスキャンが行われると、報知手段によるチャンネル構成が変更されたことの報知が終了される。これにより、ユーザは、チャンネル構成が変更されたことの報知が終了していることを確認して、チャンネル構成が変更された後にチャンネルスキャンを行ったと判断できる。
【図面の簡単な説明】
【００２５】
【図１】本発明の一実施形態に係るテレビジョン信号受信装置の概略構成を示す電気的ブロック構成図。
【図２】同テレビジョン信号受信装置のチャンネル構成の変更についての情報を報知する動作を示すフローチャート。
【図３】同テレビジョン信号受信装置のチャンネル構成の変更についての情報を報知する動作を示すフローチャート。
【発明を実施するための形態】
【００２６】
以下、本発明を具体化した実施形態によるテレビジョン信号受信装置について図面を参照して説明する。図１は、本実施形態によるテレビジョン信号受信装置の構成を示す。テレビジョン信号受信装置１は、テレビジョン放送局から放送されるデジタル形式のテレビジョン信号を受信する装置である。
【００２７】
このテレビジョン信号受信装置１は、外部装置９０に接続して使用するようになっており、受信したテレビジョン信号に基く映像、音声を外部装置９０によって出力するようになっている。また、このテレビジョン信号受信装置１は、受信したテレビジョン信号に基く映像、音声を録画、録音する機能、及び録画、録音した映像、音声を再生して外部装置９０によって出力する機能を備えている。
【００２８】
また、このテレビジョン信号受信装置１は、テレビジョン信号の放送チャンネルのチャンネル構成の変更についての情報を報知する機能を備えており、チャンネル構成の変更についての情報として、チャンネル構成が変更されるまでの期間及びチャンネル構成が変更されたことを報知するようになっている。
【００２９】
テレビジョン信号受信装置１は、チューナ１１と、ＨＤＤ１２と、出力切換部１３と、リモコン１４と、リモコン受信部１５と、メモリ１６と、時計１７と、表示部１８と、ＬＥＤ１９と、テレビジョン信号受信装置１の動作を制御する制御部２０等を備える。
【００３０】
チューナ１１は、制御部２０による制御のもと、受信周波数がテレビジョン信号の放送チャンネルに対応する放送周波数に設定されることにより、その放送チャンネル（その放送周波数）で放送されているテレビジョン信号をアンテナ１ａを介して受信する。
【００３１】
テレビジョン信号には、テレビジョン信号に基く映像の映像信号、テレビジョン信号に基く音声の音声信号、テレビジョン信号の放送チャンネルのチャンネル構成が変更される日時に関する情報であるチャンネル構成変更情報（ｎｅｔｗｏｒｋ＿ｃｈａｎｇｅ＿ｎｏｔｉｆｙ＿ｄｅｓｃｒｉｐｔｏｒ）等が含まれている。チャンネル構成変更情報は、テレビジョン信号の放送チャンネルのチャンネル構成が変更される日時に関する情報として、変更作業開始日時情報、及び変更作業時間情報を含んでいる。変更作業開始日時情報は、チャンネル構成の変更作業が開始される日時である変更作業開始日時を示す情報である。変更作業時間情報は、チャンネル構成の変更作業に要する時間である変更作業時間を示す情報である。
【００３２】
チューナ１１は、制御部２０による制御のもと、受信したテレビジョン信号を復調、復号処理して、受信したテレビジョン信号から、テレビジョン信号に基く映像の映像信号、及びテレビジョン信号に基く音声の音声信号を生成すると共に、チャンネル構成変更情報を抽出する。チューナ１１によって、変更情報抽出手段が構成されている。
【００３３】
ＨＤＤ１２は、ハードディスク３０を内蔵しており、制御部２０による制御のもと、チューナ１１により生成された映像信号、音声信号をハードディスク３０に記録する。また、ＨＤＤ１２は、制御部２０による制御のもと、ハードディスク３０に記録されている映像信号、音声信号を読出す。
【００３４】
出力切換部１３は、制御部２０による制御のもと、映像信号及び音声信号の供給経路を切換える。すなわち、出力切換部１３は、制御部２０による制御のもと、チューナ１１により生成された映像信号及び音声信号、及びＨＤＤ１２によりハードディスク３０から読出された映像信号及び音声信号、のうちのいずれかを選択的に出力する。出力切換部１３から出力された映像信号及び音声信号は、外部装置９０に供給される。
【００３５】
外部装置９０に映像信号及び音声信号が供給されることにより、その映像信号及び音声信号による映像及び音声が外部装置９０によって出力（その映像信号による映像が外部装置９０のディスプレイ９１に表示されると共に、その音声信号による音声が外部装置９０のスピーカ９２から出力）される。
【００３６】
リモコン１４は、テレビジョン信号受信装置１の各種動作を指示するためにユーザにより操作され、その操作内容を示す操作信号を送信する。リモコン受信部１５は、リモコン１４から送信される操作信号を受信して、リモコン１４の操作内容を示すリモコン受信信号を出力する。リモコン１４によって、操作手段が構成されている。
【００３７】
メモリ１６は、制御部２０による制御のもと、受信可能なテレビジョン信号の放送チャンネルを記述したチャンネルマップを記憶する。また、メモリ１６は、制御部２０による制御のもと、チャンネル構成の変更作業が開始される日時である変更作業開始日時、チャンネル構成の変更作業に要する時間である変更作業時間等、テレビジョン信号受信装置１の動作に関わる各種データを記憶する。
【００３８】
時計１７は、時間を計測して、現在日時を示す時刻信号を出力する。表示部１８は、テレビジョン信号受信装置１の動作状態や現在日時等の情報を表示するものである。表示部１８は、蛍光管パネルにより構成されており、制御部２０による制御のもと、テレビジョン信号受信装置１の動作状態や現在日時等の情報を、数字や文字等によって表示する。
【００３９】
ＬＥＤ１９は、テレビジョン信号の放送チャンネルのチャンネル構成の変更についての情報を報知するためのものである。ＬＥＤ１９は、制御部２０による制御のもと、点灯制御され、点灯されることにより光を発光する。ＬＥＤ１９としては、赤色ＬＥＤ１９ｒと、緑色ＬＥＤ１９ｇとを有している。赤色ＬＥＤ１９ｒは、点灯されることにより赤色の光を発光するＬＥＤであり、緑色ＬＥＤ１９ｇは、点灯されることにより緑色の光を発光するＬＥＤである。赤色ＬＥＤ１９ｒと緑色ＬＥＤ１９ｇは、制御部２０による制御のもと、個別に点灯制御される。
【００４０】
制御部２０は、リモコン受信部１５から出力されるリモコン受信信号に基いて、ユーザによるリモコン１４の操作内容を判断し、ユーザによるリモコン１４の操作を受けて、テレビジョン信号受信装置１の各種動作を制御する。制御部２０は、テレビジョン信号受信装置１の動作を制御するためのプログラムや各種データを記憶しており、それらプログラムや各種データに基いて、テレビジョン信号受信装置１の各種動作を制御する。
【００４１】
制御部２０は、チャンネルスキャンを行う。チャンネルスキャンとは、受信可能な放送チャンネルを検出してメモリ１６に記憶されているチャンネルマップに登録する動作である。すなわち、チャンネルスキャンにおいて、制御部２０は、チューナ１１の受信周波数を各放送チャンネルの放送周波数に設定し、このときにチューナ１１により受信されるテレビジョン信号の受信レベルに基いて、各放送チャンネルのテレビジョン信号を受信できるか否かを判定し、受信できると判定した放送チャンネルをチャンネルマップに登録する。制御部２０は、ユーザによりリモコン１４によって、チャンネルスキャンを行うための操作がなされたことを受けて、チャンネルスキャンを行う。
【００４２】
また、制御部２０は、テレビジョン信号の受信を行う。すなわち、制御部２０は、チューナ１１の受信周波数を受信可能な放送チャンネルの放送周波数に設定する。これにより、その放送チャンネルのテレビジョン信号がチューナ１１によって受信される。
【００４３】
また、制御部２０は、テレビジョン信号に基く映像、音声の出力を行う。すなわち、制御部２０は、テレビジョン信号の受信を行っている状態で、出力切換部１３における映像信号及び音声信号の供給経路をチューナ１１により生成された映像信号及び音声信号を出力する状態にする。これにより、テレビジョン信号に基く映像、音声が外部装置９０によって出力される。
【００４４】
また、制御部２０は、テレビジョン信号に基く映像、音声の録画、録音を行う。すなわち、制御部２０は、テレビジョン信号の受信を行っている状態で、チューナ１１により生成された映像信号及び音声信号をＨＤＤ１２によりハードディスク３０に記録させる。これにより、テレビジョン信号に基く映像、音声がハードディスク３０に録画、録音される。
【００４５】
また、制御部２０は、録画、録音した映像、音声の出力を行う。すなわち、制御部２０は、ハードディスク３０に記録されている映像信号及び音声信号をＨＤＤ１２により読出させると共に、出力切換部１３における映像信号及び音声信号の供給経路をＨＤＤ１２により読出された映像信号及び音声信号を出力する状態にする。これにより、ハードディスク３０に録画、録音されている映像、音声が再生されて外部装置９０によって出力される。
【００４６】
制御部２０は、ユーザによるリモコン１４の操作に基いて、これらテレビジョン信号の受信、テレビジョン信号に基く映像、音声の出力、テレビジョン信号に基く映像、及び音声の録画、録音、録画、録音した映像、音声の出力を行う。また、制御部２０は、ユーザによるリモコン１４の操作に基いて、録画予約の設定（放送チャンネルや時間帯等の設定）を行い、この録画予約の設定に従って、自動的に、テレビジョン信号に基く映像、音声の録画、録音を行う。
【００４７】
また、制御部２０は、赤色ＬＥＤ１９ｒ及び緑色ＬＥＤ１９ｇを点灯することにより、チャンネル構成の変更についての情報を報知する。制御部２０は、赤色ＬＥＤ１９ｒ及び緑色ＬＥＤ１９ｇを種々の態様で点灯することにより、チャンネル構成の変更についての情報として、チャンネル構成が変更される予定があること、チャンネル構成が変更されるまでの期間、及びチャンネル構成が変更されたことを報知する。
【００４８】
すなわち、制御部２０は、チューナ１１により抽出されたチャンネル構成変更情報に含まれている変更作業開始日時情報、及び変更作業時間情報に基いて、チャンネル構成の変更作業が完了したときをチャンネル構成が変更されたときとして、チャンネル構成が変更される日時と現在日時との関係における現在の状況を判断する。つまり、制御部２０は、現在の状況が、チャンネル構成が変更される前であるのか、それとも、チャンネル構成が変更された後であるのかを判断する。また、チャンネル構成が変更される前であるならば、チャンネル構成が変更されるまで、どれだけの期間があるのか等を判断する。また、チャンネル構成が変更された後であるならば、チャンネル構成が変更されてから、どれだけの期間が経過したのか等を判断する。
【００４９】
そして、制御部２０は、チャンネル構成が変更される日時と現在日時との関係における現在の状況の判断結果に基いて、その判断結果の状況に対応した態様で赤色ＬＥＤ１９ｒ及び緑色ＬＥＤ１９ｇを点灯することにより、チャンネル構成が変更される予定があること、チャンネル構成が変更されるまでの期間、及びチャンネル構成が変更されたことを報知する。つまり、チャンネル構成が変更される前であると判断される場合においては、チャンネル構成が変更されるまでの期間に応じた態様で赤色ＬＥＤ１９ｒ及び緑色ＬＥＤ１９ｇを点灯することにより、チャンネル構成が変更される予定があること、及びチャンネル構成が変更されるまでの期間を報知する。また、チャンネル構成が変更された後であると判断される場合においては、さらに異なる態様で赤色ＬＥＤ１９ｒ及び緑色ＬＥＤ１９ｇを点灯することにより、チャンネル構成が変更されたことを報知する。
【００５０】
制御部２０は、このように赤色ＬＥＤ１９ｒ及び緑色ＬＥＤ１９ｇを点灯することにより、チャンネル構成の変更についての情報を報知する。赤色ＬＥＤ１９ｒ、緑色ＬＥＤ１９ｇ、及び制御部２０によって、報知手段が構成されている。
【００５１】
また、制御部２０は、チャンネル構成が変更されたことを報知しているときに、ユーザによる指示（ユーザによりリモコン１４によって、チャンネルスキャンを行うための操作がなされたこと）を受けてチャンネルスキャンを行うと、チャンネル構成が変更されたことの報知を終了する。また、制御部２０は、チャンネル構成が変更されてから１ヶ月以上であると判断されるときにも、チャンネル構成が変更されたことの報知を終了する。
【００５２】
図２、図３は、上記テレビジョン信号受信装置１におけるチャンネル構成の変更についての情報を報知する動作のフローチャートを示す。制御部２０は、チューナ１１からチャンネル構成変更情報を取得すると（チューナ１１によりチャンネル構成変更情報が抽出されると）（＃１）、そのチャンネル構成変更情報に含まれている変更作業開始日時情報及び前記変更作業時間情報に基いて、変更作業開始日時（チャンネル構成の変更作業が開始される日時）及び変更作業時間（チャンネル構成の変更作業に要する時間）をメモリ１６に記憶する（＃２）。
【００５３】
＃２の後、制御部２０は、時計１７から出力される時刻信号の示す現在日時と、メモリ１６に記憶している変更作業開始日時及び変更作業時間とに基いて、チャンネル構成の変更作業が完了したときをチャンネル構成が変更されたときとして、チャンネル構成が変更される日時と現在日時との関係における現在の状況を判断する（＃３）。
【００５４】
ここで、制御部２０は、チャンネル構成が変更されるまで１週間以上であると判断されるときに（＃４でＹＥＳ）、赤色ＬＥＤ１９ｒ及び緑色ＬＥＤ１９ｇを非点灯（点灯せずに、消灯した状態を維持）にする（＃５）。
【００５５】
そして、制御部２０は、チャンネル構成が変更されるまで１週間未満かつ４８時間以上であると判断されるときに（＃６でＹＥＳ）、赤色ＬＥＤ１９ｒを常時点灯（連続的に点灯）し、緑色ＬＥＤ１９ｇを非点灯にする（＃７）。また、制御部２０は、チャンネル構成が変更されるまで４８時間未満かつ１時間以上であると判断されるときに（＃８でＹＥＳ）、赤色ＬＥＤ１９ｒを間欠点灯（周期的に点滅）し、緑色ＬＥＤ１９ｇを非点灯にする（＃９）。また、制御部２０は、チャンネルが変更されるまで１時間未満であってチャンネル構成の変更作業が開始される前であると判断されるときに（＃１０でＹＥＳ）、緑色ＬＥＤ１９ｇを常時点灯し、赤色ＬＥＤ１９ｒを非点灯にする（＃１１）。また、制御部２０は、チャンネル構成の変更作業中であると判断されるときに（＃１２でＹＥＳ）、緑色ＬＥＤ１９ｇを間欠点灯し、赤色ＬＥＤ１９ｒを非点灯にする（＃１３）。＃５、＃７、＃９、＃１１、＃１３の後、制御部２０は、上記＃３以降の処理を繰り返す。
【００５６】
制御部２０は、このように赤色ＬＥＤ１９ｒ及び緑色ＬＥＤ１９ｇを点灯することにより、チャンネル構成が変更される予定があること、及びチャンネル構成が変更されるまでの期間を報知する。すなわち、赤色ＬＥＤ１９ｒと緑色ＬＥＤ１９ｇの何れか一方を常時点灯又は間欠点灯することにより、チャンネル構成が変更される予定があることを報知する。そして、赤色ＬＥＤ１９ｒを常時点灯することによって、チャンネル構成が変更されるまで１週間未満かつ４８時間以上であることを報知する。また、赤色ＬＥＤ１９ｒを間欠点灯することによって、チャンネル構成が変更されるまで４８時間未満かつ１時間以上であることを報知する。また、緑色ＬＥＤ１９ｇを常時点灯することによって、チャンネルが変更されるまで１時間未満であってチャンネル構成の変更作業が開始される前であることを報知する。また、緑色ＬＥＤ１９ｇを間欠点灯することによって、チャンネル構成の変更作業中であることを報知する。
【００５７】
また、制御部２０は、チャンネル構成が変更されてから１ヶ月未満であると判断されるときに（＃１４でＹＥＳ）、赤色ＬＥＤ１９ｒと緑色ＬＥＤ１９ｇを間欠点灯する（＃１５）。
【００５８】
制御部２０は、このように赤色ＬＥＤ１９ｒ及び緑色ＬＥＤ１９ｇを点灯することにより、チャンネル構成が変更されたことを報知する。すなわち、赤色ＬＥＤ１９ｒと緑色ＬＥＤ１９ｇの両方を間欠点灯することによって、チャンネル構成が変更されたことを報知する。
【００５９】
＃１５の後、すなわち、チャンネル構成が変更されたことを報知しているときに、チャンネルスキャン指示（ユーザによりリモコン１４によって、チャンネルスキャンを行うための操作）がなされなければ（＃１６でＮＯ）、制御部２０は、上記＃３以降の処理を繰り返す。
【００６０】
そして、＃１５の後、チャンネルスキャン指示がなされると（＃１６でＹＥＳ）、制御部２０は、チャンネルスキャンを実行する（＃１７）。制御部２０は、チャンネルスキャンを実行すると、赤色ＬＥＤ１９ｒと緑色ＬＥＤ１９ｇを非点灯にする（＃１８）。また、制御部２０は、チャンネル構成が変更されてから１ヶ月以上であると判断されるときにも（＃１４でＮＯ）、赤色ＬＥＤ１９ｒと緑色ＬＥＤ１９ｇを非点灯にする（＃１８）。
【００６１】
制御部２０は、このように赤色ＬＥＤ１９ｒと緑色ＬＥＤ１９ｇを非点灯にすることにより、チャンネル構成が変更されたことの報知を終了する。すなわち、赤色ＬＥＤ１９ｒと緑色ＬＥＤ１９ｇの両方を間欠点灯している状態から、赤色ＬＥＤ１９ｒと緑色ＬＥＤ１９ｇの両方を間欠点灯することを停止して、赤色ＬＥＤ１９ｒと緑色ＬＥＤ１９ｇの両方を消灯することによって、チャンネル構成が変更されたことの報知を終了する。
【００６２】
このような構成のテレビジョン信号受信装置１によれば、チャンネル構成が変更される場合、チャンネル構成が変更されるまでの期間が、チャンネル構成が変更されるまでの期間に応じて、赤色ＬＥＤ１９ｒの常時点灯、赤色ＬＥＤ１９ｒの間欠点灯、緑色ＬＥＤ１９ｇの常時点灯、緑色ＬＥＤ１９ｇの間欠点灯のいずれかによって報知される。従って、チャンネル構成が変更される場合、チャンネル構成が変更される前に、チャンネル構成が変更されるまでの期間をユーザに知らせることができる。これにより、ユーザは、チャンネルスキャンや録画予約の再設定（チャンネル構成の変更に対応するためのテレビジョン信号受信装置１に対する処置）をどの時期に行えばよいのか判断することができ、チャンネルスキャンや録画予約の再設定を適切な時期（チャンネルスキャンについては、チャンネル構成が変更された後のできるだけ早い時期、録画予約の再設定については、チャンネル構成が変更された後であって、録画予約していた番組が放送される前の時期）に行うことができ、便利である。
【００６３】
しかも、チャンネル構成が変更されると、チャンネル構成が変更されたことが赤色ＬＥＤ１９ｒと緑色ＬＥＤ１９ｇの両方の間欠点灯によって報知される。従って、チャンネル構成が変更されると、チャンネル構成が変更されたことをユーザに知らせることができる。これにより、ユーザは、チャンネルスキャンや録画予約の再設定をどの時期に行えばよいのかより適切に判断することができ、チャンネルスキャンや録画予約の再設定をより適切な時期に行うことができる。
【００６４】
さらに、チャンネル構成が変更された後にチャンネルスキャンが行われると、赤色ＬＥＤ１９ｒと緑色ＬＥＤ１９ｇの両方の間欠点灯によるチャンネル構成が変更されたことの報知が終了される。これにより、ユーザは、チャンネル構成が変更されたことの報知が終了していることを確認して、チャンネル構成が変更された後にチャンネルスキャンを行ったと判断できる。
【００６５】
また、チャンネル構成が変更されるまでの期間に応じて、赤色ＬＥＤ１９ｒの常時点灯、赤色ＬＥＤ１９ｒの間欠点灯、緑色ＬＥＤ１９ｇの常時点灯、緑色ＬＥＤ１９ｇの間欠点灯のいずれかによって、チャンネル構成が変更されるまでの期間が報知される共に、赤色ＬＥＤ１９ｒと緑色ＬＥＤ１９ｇの両方の間欠点灯によって、チャンネル構成が変更されたことが報知される。すなわち、赤色ＬＥＤ１９ｒと緑色ＬＥＤ１９ｇをチャンネル構成が変更されるまでの期間に応じた態様で点灯することによって、チャンネル構成が変更されるまでの期間が報知されると共に、赤色ＬＥＤ１９ｒと緑色ＬＥＤ１９ｇをさらに異なる態様（チャンネル構成が変更されるまでの期間を報知するときと異なる態様）で点灯することによって、チャンネル構成が変更されたことが報知される。これにより、チャンネル構成が変更されるまでの期間及びチャンネル構成が変更されたことを報知する構成を、簡単な構成によって実現できる。
【００６６】
また、赤色ＬＥＤ１９ｒが常時点灯することにより、チャンネル構成が変更されるまで１週間未満かつ４８時間以上であることが報知され、赤色ＬＥＤ１９ｒが間欠点灯により、チャンネル構成が変更されるまで４８時間未満かつ１時間以上であることが報知され、緑色ＬＥＤ１９ｇが常時点灯することにより、チャンネルが変更されるまで１時間未満であってチャンネル構成の変更作業が開始される前であることが報知され、緑色ＬＥＤ１９ｇが間欠点灯することにより、チャンネル構成の変更作業中であることが報知される。これにより、チャンネル構成が変更されるまでの期間を具体的にユーザに知らせることができる。
【００６７】
なお、本発明は、上記実施形態の構成に限られず、種々の変形が可能である。例えば、チャンネル構成が変更されるまでの期間の報知及びチャンネル構成が変更されたことの報知は、表示部によって行ってもよい。すなわち、制御部による制御のもと、表示部により、数字や文字等によって、チャンネル構成が変更されるまでの期間及びチャンネル構成が変更されたことを表示するようにしてもよい。この場合、表示部及び制御部によって、報知手段が構成される。また、制御部は、チャンネル構成が変更されたと判断された後に、自動的に、チャンネルスキャンを行うようにしてもよい。また、テレビジョン信号受信装置は、ディスプレイ及びスピーカを一体的に備えたタイプのものであってもよい。
【符号の説明】
【００６８】
１    テレビジョン信号受信装置
１ａ    アンテナ
１１    チューナ（変更情報抽出手段）
１２    ＨＤＤ
１３    出力切換部
１４    リモコン（操作手段）
１５    リモコン受信部
１６    メモリ
１７    時計
１８    表示部
１９    ＬＥＤ（報知手段）
１９ａ    赤色ＬＥＤ（報知手段）
１９ｇ    緑色ＬＥＤ（報知手段）
２０    制御部（報知手段、チャンネルスキャン手段）
３０    ハードディスク
９０    外部装置
９１    ディスプレイ
９２    スピーカ
【図１】
2012244308.tif 000003
【図２】
2012244308.tif 000004
【図３】
2012244308.tif 000005